(57)【要約】      （修正有）【課題】支柱相互間にブレースを有す既設鋼構造物の支柱を切断撤去することなく、簡単な施工で既設支柱のブレース接合部のみを部分的に補強することが可能な脚部耐震補強の施工方法を提供する。【解決手段】支柱３上部の上部ブレース接合部３ｂ１及び支柱３下部の下部ブレース接合部３ｂ２近傍に挿入孔を開口する開口ステップと、袋状に成形された袋体６を挿入孔から支柱３の中空内部に挿入する挿入ステップと、袋体６を支柱３内部に固定する固定ステップと、袋体６上部のホース注入口に取付けられた充填材注入用ホースから袋体６の内部に充填材を袋体６の内部に充填し、袋体６を支柱３の内部に嵌合するように膨張させ、ホース注入口を閉止する充填ステップと、支柱３の挿入孔に閉止部材を取付ける復旧ステップとを備えたことを特徴とする。【選択図】図１
2019049104.tif 000002
【特許請求の範囲】
【請求項１】
複数本の隣接する支柱相互間をＸ字状に交差したブレースで連結した既設構造物における、前記支柱上部の上部ブレース接合部及び前記支柱下部の下部ブレース接合部各々を補強する脚部耐震補強の方法であって、前記支柱上部の上部ブレース接合部及び前記支柱下部の下部ブレース接合部近傍に挿入孔を開口する開口ステップと、袋状に成形された袋体を前記挿入孔から前記支柱の中空内部に挿入する挿入ステップと、前記袋体を前記支柱内部に固定する固定ステップと、前記袋体上部のホース注入口に取付けられた充填材注入用ホースから前記袋体の内部に充填材を前記袋体の内部に充填し、該袋体を前記支柱の内部に嵌合するように膨張させ、前記ホース注入口を閉止する充填ステップと、前記支柱の挿入孔に閉止部材を取付ける復旧ステップとを備えたことを特徴とする脚部耐震補強の施工方法。
【請求項２】
請求項１記載の袋体を請求項１記載の支柱内部に固定する固定ステップにおいて、前記支柱に設けた開口部から支持部材を前記支柱の軸方向と直交する方向に挿通し、前記袋体を該支持部材上に載置することを特徴とする請求項１記載の脚部耐震補強の施工方法。
【請求項３】
請求項１記載の袋体は通気性を有し、かつ請求項１記載の充填材は、前記袋体の内部に充填する際に流体状で充填され、前記袋体の内部充填後に該袋体内部で硬化することを特徴とする請求項１記載の脚部耐震補強の施工方法。
【請求項４】
請求項１記載の支柱の挿入孔に閉止部材を取付ける復旧ステップにおいて、前記支柱内部の空気を放出する機構を有する閉止部材を取付けることを特徴とする請求項１記載の脚部耐震補強の施工方法。
【発明の詳細な説明】
【技術分野】
【０００１】
この発明は、圧縮ガスや液化ガス等を貯蔵する球形タンクの支持構造のような、支柱相互間にブレースを有す既設鋼構造物について、耐震性の向上を目的とした補強を行うための施工方法及びその施工のための部材に関するものである。
【背景技術】
【０００２】
図８に示すように、既設の球形タンク１の球殻体２は支柱３と基礎４によって支持され、支柱３の相互間には、球形タンクの水平振動を抑制して、支持強度を高めるために、Ｘ字状に交差させたブレース５を設けている。
詳しくは、支柱３には、球殻体２と接続する上部支柱３ａ及び基礎４に固定する下部支柱３ｂとで構成される鋼管が用いられ、ブレース５には、鋼棒材のタイロッドブレースや鋼管材のパイプブレースが使用されるが、図示例のブレース５は、パイプブレース５ａの場合を示している。
このようなブレース構造を有する既設の球形タンク１の一部において、大規模な地震により、前記の支柱３とプレース５との接合部が座屈する等の事例が発生し、当該部分の強度を向上させる必要が生じている。
なお、支柱３相互間にブレース５を有す構造は、前記球形タンク１に限定されず、鋼構造物において幅広く使用されている。
【０００３】
従来技術の発明には、例えば特許文献１「球形タンク支持部材補強方法および補強支持部材」の発明がある。この発明には、既設の球形タンクの支柱下部にモルタル等の凝固剤を注入する穴を穿設し、支柱内にモルタルを充填固化させて補強する方法が開示されている。
【０００４】
また、特許文献２「鋼管ブレースを有する既設球形タンクの補強方法」の発明がある。この発明には、球形タンクの各支柱にモルタルを注入して充填するための開口部を設け、支柱及びブレースの内部に充填物を用いながらモルタルを部分的に充填して補強する方法が開示されている。
【０００５】
さらにまた、本出願人による特許文献３「球形タンクの支柱及び又はブレースの補強施工法」の発明がある。この発明には、既設の球形タンクの下部支柱の中間部を撤去し、次いで上下に位置する上部ブレース接合部及び下部ブレース接合部の中空内部に補強円板を設置し、続いて新規の補強中間支柱を設置する球形タンクの支柱及び又はブレースの補強施工法が開示されている。
【先行技術文献】
【特許文献】
【０００６】
【特許文献１】特開昭５３−２４６２３号公報
【特許文献２】特開２０１６−２１６９０４号公報
【特許文献３】特開２０１５−１９３３９７号公報
【発明の概要】
【発明が解決しようとする課題】
【０００７】
球形タンク１のような支柱３相互間にブレース５を有す既設鋼構造物において、ブレース５接合部の支柱３の中空内部に補強部材がない場合、地震時に支柱３とブレース５の接合部に大きな圧縮力が作用し、支柱３が破損するおそれがあった。
支柱３やブレース５の脚部耐震補強の方法としては、支柱３又はブレース５の全体の部材厚さを従来より更に増した部材や更に太径の部材に取り替える方法等があった。但し、支柱３又はブレース５を新規の部材に取り替えるためには、堅固な支保工で支えながら既設支柱３を切断して、新規の支柱３を取付けるという大規模な工事が必要となり、長い工事期間と多大な工事費用を必要とする問題があった。
また、支柱に穴を開け、鋼管内部全体に流動モルタル等を充填し、固化させて、支柱強度を高める方法もあった。しかし、強度解析の結果から、支柱３とブレース５との接合部分の強度のみに問題がある場合、前記した補強方法では、過剰補強や過剰コストとなる問題があった。また、重量増加によって基礎４への負荷が大きくなり、基礎４の補強が更に必要となるケースもあった。
そこで、支柱３相互間にブレース５を有す既設の支柱３鋼管内部に部分的に補強部材を追加して耐震補強することが可能で、かつ大掛かりな支保工を用いることなく、簡単に施工することが可能な脚部耐震補強の施工方法が求められていた。
【０００８】
特許文献１の「球形タンク支持部材補強方法および補強支持部材」の発明は、既設の球形タンクの支柱を部分的に切断撤去することなく、球形タンクの支柱を耐震補強する方法であるが、支柱に穴を設けて支柱内全体にモルタル等の凝固剤を詰めて支柱全体を耐震補強する方法であり、支柱のブレース接合部のみを部分的に補強する方法に関するものではない。
【０００９】
特許文献２の「鋼管ブレースを有する既設球形タンクの補強方法」の発明は、既設の球形タンクの支柱を部分的に切断撤去することなく、球形タンクの支柱を耐震補強する方法であるが、支柱に開口部を設けて支柱及びブレースの内部に充填物を用いながらモルタルを部分的に充填して補強する方法に関するものであり、支柱の鋼管内部に部分的に補強部材を追加する方法に関するものではない。
【００１０】
特許文献３の「球形タンクの支柱及び又はブレースの補強施工法」の発明は、既設の球形タンクのブレース接合部の支柱の中空内部に部分的に補強円板を設置して耐震補強する方法に関するものであるが、既設の支柱を部分的に切断撤去して新規の支柱に取り替える補強施工法に関するものであり、支柱に挿入孔を設けて該支柱の内部に袋体を挿入し、該袋体に充填材を充填する補強方法に関するものではない。
【００１１】
この発明は上述のような従来技術が有する問題点に鑑みてなされたもので、その目的とするところは、支柱相互間にブレースを有す既設鋼構造物について地震による水平振動に対する剛性と強度を高め耐久性と安全性を向上させるために、既設の支柱を切断撤去することなく、簡単な施工で既設支柱のブレース接合部のみを部分的に補強することが可能な脚部耐震補強の施工方法を提供することにある。
【課題を解決するための手段】
【００１２】
請求項１の発明に係る脚部耐震補強の施工方法は、複数本の隣接する支柱相互間をＸ字状に交差したブレースで連結した既設構造物における、前記支柱上部の上部ブレース接合部及び前記支柱下部の下部ブレース接合部各々を補強する脚部耐震補強の方法であって、前記支柱上部の上部ブレース接合部及び前記支柱下部の下部ブレース接合部近傍に挿入孔を開口する開口ステップと、袋状に成形された袋体を前記挿入孔から前記支柱の中空内部に挿入する挿入ステップと、前記袋体を前記支柱内部に固定する固定ステップと、前記袋体上部のホース注入口に取付けられた充填材注入用ホースから前記袋体の内部に充填材を前記袋体の内部に充填し、該袋体を前記支柱の内部に嵌合するように膨張させ、前記ホース注入口を閉止する充填ステップと、前記支柱の挿入孔に閉止部材を取付ける復旧ステップとを備えたことを特徴とする。
【００１３】
請求項２の発明に係る脚部耐震補強の施工方法は、請求項１記載の袋体を請求項１記載の支柱内部に固定する固定ステップにおいて、前記支柱に設けた開口部から支持部材を前記支柱の軸方向と直交する方向に挿通し、前記袋体を該支持部材上に載置することを特徴とする。
【００１４】
請求項３の発明に係る脚部耐震補強の施工方法は、請求項１記載の袋体が通気性を有し、かつ請求項１記載の充填材が、前記袋体の内部に充填する際に流体状で充填され、前記袋体の内部充填後に該袋体内部で硬化することを特徴とする。
【００１５】
請求項４の発明に係る脚部耐震補強の施工方法は、請求項１記載の支柱の挿入孔に閉止部材を取付ける復旧ステップにおいて、前記支柱内部の空気を放出する機構を有する閉止部材を取付けることを特徴とする。
【発明の効果】
【００１６】
請求項１の発明に係る脚部耐震補強の施工方法は、複数本の隣接する支柱相互間をＸ字状に交差したブレースで連結した既設構造物における、前記支柱上部の上部ブレース接合部及び前記支柱下部の下部ブレース接合部各々を補強する脚部耐震補強の方法であって、前記支柱上部の上部ブレース接合部及び前記支柱下部の下部ブレース接合部近傍に挿入孔を開口する開口ステップと、袋状に成形された袋体を前記挿入孔から前記支柱の中空内部に挿入する挿入ステップと、前記袋体を前記支柱内部に固定する固定ステップと、前記袋体上部のホース注入口に取付けられた充填材注入用ホースから前記袋体の内部に充填材を前記袋体の内部に充填し、該袋体を前記支柱の内部に嵌合するように膨張させ、前記ホース注入口を閉止する充填ステップと、前記支柱の挿入孔に閉止部材を取付ける復旧ステップとを備えたので、
既設鋼構造物の支柱の一部を切断分離し、新規の支柱を取付けることなく、既設支柱に挿入孔を開けて袋体を挿入し、該袋体に充填材を充填する簡単な施工で、支柱を部分的に補強することが可能である。
支柱に部分的に挿入孔を開口する脚部耐震補強の方法であるため、タンク本体等の上部構造物の荷重で開口部が押し潰されることがなく、袋体の内部に充填材を充填し、該袋体を膨張させて支柱の中空内部に嵌合させることにより、安全に補強することが可能である。
支柱の上下に位置する上部ブレース接合部及び下部ブレース接合部の夫々の中空内部に嵌合するように充填材が充填された袋体を設置し、地震動により大きな圧縮力が作用する部分のみを効率的に補強することができる。すなわち、地震によって球形タンク等の既設鋼構造物が水平振動して支柱のブレース接合部近傍に大きな圧縮力が掛かった場合の下部支柱の損傷を防止することが可能である。
また、袋体を萎ませた状態で支柱内部に挿入した後、充填材を充填して補強する工法であるため、挿入孔の寸法を小さくすることが可能で、容易かつ安全に施工することができる。
【００１７】
請求項２の発明に係る脚部耐震補強の施工方法は、請求項１記載の袋体を請求項１記載の支柱内部に固定する固定ステップにおいて、前記支柱に設けた開口部から支持部材を前記支柱の軸方向と直交する方向に挿通し、前記袋体を該支持部材上に載置するので、
既設鋼構造物の支柱の一部を切断分離せずに、ボルト留めすることなく、溶接量を少なくすることができ、支柱の内部の補強を必要とする所定の位置に容易に充填材が充填された袋体を固定することが可能である。
【００１８】
請求項３の発明に係る脚部耐震補強の施工方法は、請求項１記載の袋体が通気性を有し、かつ請求項１記載の充填材が、前記袋体の内部に充填する際に流体状で充填され、前記袋体の内部充填後に該袋体内部で硬化するので、
前記充填材の充填時の内圧で前記袋体を膨張させ、該袋体を支柱の中空部の内壁面に密着させ、内部の充填材を自然に硬化させることにより、耐圧縮強度を発現させることが可能であり、大きな圧縮力が作用する部分を確実に補強できる。
また、硬化性を有す充填材を使用するため、充填する際はホースで袋体内に充填し易く、該袋体内充填後に自然硬化するため、確実に圧縮力に対抗させることが可能である。
【００１９】
請求項４の発明に係る脚部耐震補強の施工方法は、請求項１記載の支柱の挿入孔に閉止部材を取付ける復旧ステップにおいて、前記支柱内部の空気を放出する機構を有する閉止部材を取付けるので、
支柱内部の充填材が充填された袋体によって遮断された上部の空間部の空気の温度が火災等で上昇し、高圧となった際に、その空気を逃がすことができるため、該支柱が内圧によって破損することを防止することが可能となり、安全性が向上する。
支柱内部の空気を放出する機構として、所定の温度以上に達すると溶断する温度ヒューズ等を取付ける場合は、前記挿入孔を利用して取付けることができ、別途支柱に孔開け加工を施すことなく、容易に設置することが可能である。
【図面の簡単な説明】
【００２０】
【図１】この発明に係る脚部耐震補強の施工方法によって構築される球形タンク１の構造を説明するための正面図である。
【図２】既設の球形タンク１の支柱３のブレース接合部３ｂ１近傍に挿入孔８を開口する開口ステップを示す正面図である。
【図３】支持部材９を支柱３の中空内部に挿入する挿入ステップを示す斜視図である。
【図４】支持部材９上に袋体６を載置する固定ステップを示す断面図である。
【図５】袋体６内部に充填材１２を充填する充填ステップを示す断面図である。
【図６】袋体６に充填材１２を充填した後、該袋体６からホース１５を抜き取り、袋体６上部の充填材注入口を固定材１１で閉止した状態を示す断面図である。
【図７】支柱３の挿入孔８に閉止部材１４を取付ける復旧ステップを示す断面図である。
【図８】従来一般のブレース５を備えた球形タンク１を示す正面図である。
【発明を実施するための形態】
【００２１】
本発明に係る脚部耐震補強の施工方法の実施形態例について、図１から図８を参照しながら説明する。なお、本発明は下記の実施形態にのみ限定されるものではない。本発明の要旨を逸脱しない範囲で下記の構成要素の省略または付加、構成要素の形状等の実施形態の変更を加えることが出来るのはもちろんである。また、図は概略を示すもので、一部のみを描き詳細構造は省略した。
【００２２】
図１は、本発明に係る脚部耐震補強の施工方法によって構築される球形タンク１の構造の事例を示す正面説明図で、球殻体２を複数本の支柱３で基礎４上に支持し、この支柱３の相互間に傾斜させＸ字状に交差させて設けたブレース５で連結した構造である。
図１のブレース５は、円筒状鋼管のパイプブレース５ａの場合を示している。
支柱３は、球殻体２に接続する上部支柱３ａと、ブレース５を固着した下部支柱３ｂとからなる構造である。
６は支柱３の上部及び下部夫々の円筒状中空内部に設ける袋体６である。この袋体６は、内部に充填材１２を充填して剛性を高め、円筒部の圧縮による破損を防止するために、下部支柱３ｂのブレース５の接合部上部３ｂ１及び下部３ｂ２の内部に設ける補強部材である。
袋体６は、可撓性及び通気性を有す素材で形成する。袋体６としては例えば、空気の微小な漏出口を有す、ナイロン、テトロン、ビニロン等の樹脂製の網袋を使用することが可能である。また、炭素繊維シートやアラミド繊維シート等の高強度繊維シートを用いることも可能である。
また、袋体６の先端部に袋体支持板６ａを取付け、支持部材９上に載置し、下方に落下しないようにする。
充填材１２は、前記袋体６の内部に充填する際に流体状で充填され、前記袋体６の内部充填後に該袋体６内部で硬化する硬化材とする。例えば、モルタル、コンクリート、強化繊維を混入した繊維強化コンクリート等とする。
【００２３】
充填材１２に硬化材を使用することにより、前記充填材１２の充填時の内圧で前記袋体６を膨張させ、該袋体６を支柱３の中空部の内壁面に密着させ、内部の充填材１２を自然に硬化させることにより、大きな圧縮力が作用する部分を確実に補強できる。
また、硬化性を有す充填材１２を使用することにより、充填する際はホース１５で袋体６内に充填し易く、該袋体６内充填後に自然硬化し、確実に圧縮力に対抗させることが可能である。
【００２４】
図２から図７は、既設の球形タンク１の支柱３のブレース接合部３ｂ１近傍の中空内部に袋体６と充填材１２を挿入し、支柱３を復旧するまでのステップの事例を示す図である。なお、図２から図７は、下部支柱３ｂ上部のブレース接合部３ｂ１の施工方法を示すが、下部支柱３ｂ下部のブレース接合部３ｂ２についても同様の手順で施工を実施する。図２は上部支柱３ａ及び下部支柱３ｂ上部の正面図、図３は下部支柱３ｂ上部を部分的に切り出して示した斜視図、図４から図７は、図２をＡ-Ａ矢視から見た断面図である。
図２は、支柱３のブレース接合部３ｂ１近傍に挿入孔８を開口するステップを示す。図２から図７の挿入孔８は、図２の丸穴に限定せず、収縮した状態の袋体６の挿入が容易な形状に開口する。この挿入孔８は、ドリルやガス切断等で開口する。
この支柱３に開口する挿入孔８は、収縮した状態の袋体６を挿入することが可能な寸法とする。
また、この挿入孔８開口時に、袋体６を支柱３内部に固定するための支持部材９を挿入するための開口部１０をドリル等で支柱３に設ける。
【００２５】
図３は、支持部材９を支柱３の中空内部に挿入する挿入ステップを示す斜視図である。
図３に示す通り、開口部１０は、平板状の支持部材９を挿通できるように、支柱３の手前側と奥側に２箇所設ける。
支持部材９や開口部１０については、種々の形状を採用可能である。
【００２６】
図４は、支持部材９上に袋体６を載置する固定ステップを示す断面図である。
ホース１５をその先端が袋体６の底面に到達するまで差し込み、該袋体６を支柱３に開口した挿入孔８に挿入する。
【００２７】
図５は、袋体６内部に充填材１２を充填する充填ステップを示す断面図である。
ポンプ（図示せず）を使用してホース１５により前記袋体６の内部に流体状の充填材１２を注入し、該袋体６を膨らませ、充填材１２の内圧により袋体６を支柱３の中空部の内壁面に密着させる。
【００２８】
図６は、袋体６に充填材１２を充填した後、該袋体６からホース１５を抜き取り、袋体６上部の充填材注入口を固定材１１で閉止した状態を示す断面図である。
充填材１２の注入に合わせてホース１５を引き上げ、ホース１５を抜き取った後、袋体６の充填材注入口を固定材１１で閉止する。
この場合の固定材１１は、ホースバンドのようなネジの開閉により、締め込みが調節可能なものが良く、袋体６の充填材注入口を閉止することができるものとする。
【００２９】
このように、既設鋼構造物の支柱３の一部を切断分離せずに、ボルト留めすることなく、溶接量を少なくすることができ、支柱３の内部の補強を必要とする所定の位置に容易に充填材１２が充填された袋体６を固定することが可能である。
【００３０】
図７は、支柱３の挿入孔８に閉止部材１４を取付ける復旧ステップを示す断面図である。（ａ）は袋体６内部に充填材１２を充填する事例、（ｂ）は袋体６内部に充填材１２を充填する代わりに空気１３を充填した後、該袋体６上部に充填材１２を充填する他の補強方法の事例を示す。
閉止部材１４は、その長さ、幅、厚さ寸法を挿入孔８の長手方向、幅方向、奥行きの寸法と同等のサイズとした板材等とする。挿入孔８及び閉止部材１４に溶接用の開先加工を施した後、該閉止部材１４を挿入孔８の開口部に嵌め込んで、該閉止部材１４の外周縁部を溶接し、縦挿入孔８の開口部を閉止して該支柱３を元通りに復旧することが好ましい。
或いは、閉止部材１４を当て板等とし、挿入孔８の長さ、幅よりも大きい寸法として、挿入孔８を完全に閉止するように、支柱３外面に溶接で固定しても良い。
また、挿入孔８を閉止する際に、開口部１０も閉止する。
なお、図７では支持部材９を支柱３内部に残した状態で開口部１０を閉止しているが、支持部材９を支柱３から取り外して開口部１０を閉止しても良い。
【００３１】
例えば、球形タンク１の下部支柱３ｂの下部には、支柱３又は支柱３内部の空気の温度が火災等で上昇し、当該空気の膨張により支柱３内部が高圧となった際に、その内圧で支柱３が損傷しないように、所定の温度以上に達すると溶断して空気を放出する温度ヒューズを備えているが、支柱３内部に設置した充填材１２を充填した袋体６によって、上部の空間部が遮断されることになり、支柱３上部の火災時の損傷の危険が増す。
そこで、前記支柱３内部の空気を放出する機構を有する閉止部材１４を取付けることにより、支柱３内部の充填材１２が充填された袋体６によって遮断された上部の空間部の空気の温度が火災等で上昇し、高圧となった際に、その空気を逃がすことができるため、該支柱３が内圧によって破損することを防止することが可能となり、安全性が向上する。
支柱３内部の空気を放出する機構として、所定の温度（例えば、１００℃）以上に達すると溶断する温度ヒューズ１４ａ等を取付ける場合は、前記挿入孔８を利用して取付けることができ、別途支柱３に孔開け加工を施すことなく、容易に設置することが可能である。
また、閉止部材１４に空気放出用の孔を設けるか、或いは閉止部材１４を設けずに、挿入孔８自体を支柱３内部の空気を放出する機構としても良い。
【００３２】
本発明に示す脚部耐震補強の施工方法は、以下の効果を有す。
既設鋼構造物の支柱３の一部を切断分離し、新規の支柱３を取付けることなく、既設支柱３に挿入孔８を開けて袋体６を挿入し、該袋体６に充填材１２を充填する簡単な施工で、支柱３を部分的に補強することが可能である。
支柱３に部分的に挿入孔８を開口する脚部耐震補強の方法であるため、タンク本体等の上部構造物の荷重で開口部が押し潰されることがなく、袋体６の内部に充填材１２を充填し、該袋体６を膨張させて支柱３の中空内部に嵌合させることにより、安全に補強することが可能である。
支柱３の上下に位置する上部ブレース接合部３ｂ１及び下部ブレース接合部３ｂ２の夫々の中空内部に嵌合するように充填材１２が充填された袋体６を設置し、地震動により大きな圧縮力が作用する部分のみを効率的に補強することができる。すなわち、地震によって球形タンク１等の既設鋼構造物が水平振動して支柱３のブレース接合部３ｂ１、３ｂ２近傍に大きな圧縮力が掛かった場合の下部支柱３ｂの損傷を防止することが可能である。
また、袋体６を萎ませた状態で支柱３内部に挿入した後、充填材１２を充填して補強する工法であるため、挿入孔８の寸法を小さくすることが可能で、容易かつ安全に施工することができる。
【産業上の利用可能性】
【００３３】
この発明に係る脚部耐震補強の施工方法は既設の球形タンクのみならず、新規球形タンクの耐震性を向上するためにも適用することができる。また、支柱相互間にブレースを有す種々構造物の支保工や足場等において幅広く適用可能である。
【符号の説明】
【００３４】
１  球形タンク      
２  球殻体      
３  支柱      
３ａ  上部支柱      
３ｂ  下部支柱      
３ｂ１  上部ブレース接合部      
３ｂ２  下部ブレース接合部      
４  基礎      
５  ブレース      
５ａ  パイプブレース
６  袋体             
６a  袋体支持板             
７  ガセット板      
８  （袋体６を挿入する）挿入孔
９  支持部材
１０  （支持部材９を挿入する）開口部
１１  固定材
１２  充填材
１３  空気
１４  閉止装置
１４ａ  温度ヒューズ
１５  （充填材１２注入用の）ホース
【図１】
2019049104.tif 000003
【図２】
2019049104.tif 000004
【図３】
2019049104.tif 000005
【図４】
2019049104.tif 000006
【図５】
2019049104.tif 000007
【図６】
2019049104.tif 000008
【図７】
2019049104.tif 000009
【図８】
2019049104.tif 000010